(57)【要約】      （修正有）【課題】ハリスのズレをより低減でき、また、エサのズレや外れを防止することのできる釣針を提供する。【解決手段】基端にチモト１１の形成された胴部２０を有する釣針であって、胴部２０には、背側２１にチモト１１から軸方向に平行に延びる第１溝２２と、背側２３にチモト１１から軸方向に延びる第２溝２４を凹設してなる。第２溝２４には、先端３２がチモト方向に突出する線状の部材からなるエサ止め３０を装着し、第１溝２２に道糸側となるハリス４０の本線を沿わせて上からハリス４０を巻回することでハリス付釣針を得る。【選択図】図１４
0003172257.tif 000002
【実用新案登録請求の範囲】
【請求項１】
基端にチモトの形成された胴部を有する釣針であって、
胴部には、腹側にチモトから軸方向に平行に延びる第１溝と、背側にチモトから軸方向に延びる第２溝を凹設したことを特徴とする釣針。
【請求項２】
請求項１に記載の釣針の前記第１溝に道糸側となるハリスの本線を沿わせて、胴部にハリスを巻回することにより、第２溝に巻回されたハリスが弾性により一部侵入することを特徴とするハリス付釣針。
【請求項３】
第２溝に、先端がチモト方向に突出するエサ止めを装着してなる請求項１に記載の釣針。
【請求項４】
エサ止めの先端は、胴部の基端でチモトから離れる方向に屈曲している請求項３に記載の釣針。
【請求項５】
エサ止めは、線状の部材から形成される請求項３又は請求項４に記載の釣針。
【請求項６】
請求項３乃至請求項５の何れかに記載の釣針の前記第２溝にエサ止めを装着した状態で、前記第１溝に道糸側となるハリスの本線を沿わせて、エサ止めの上から胴部にハリスを巻回してなることを特徴とするハリス付釣針。
【考案の詳細な説明】
【技術分野】
【０００１】
本考案は、釣針及び該釣針にハリスを括ったハリス付釣針に関するものである。
【背景技術】
【０００２】
魚釣り等に用いられる釣針は、胴部にハリスを巻回して括り付けた状態で用いられる。
括られたハリスは、道糸側となる本線が胴部の腹側から延出させて使用されるが、胴部は一般的に円形又は楕円形であるため、ハリスが胴部に対してズレることがある。このズレにより釣針の向きが変わったり、括りが緩んで釣針が外れてしまう虞がある。
【０００３】
そこで、釣糸の胴部の腹側にハリスを案内する溝を凹設した釣針が提案されている(例えば、特許文献１参照)。
特許文献１によれば、溝にハリスの本線を沿わせた状態でハリスを結ぶことで、本線が溝に嵌まってズレない釣針を提供できる。
【０００４】
また、釣針には、エサがズレたり外れたりすることを防止するためにケンと称されるエサ止めを胴部の背側に形成した所謂ケン付釣針も実用化されている。
【先行技術文献】
【特許文献】
【０００５】
【特許文献１】実用新案登録第２５１９０５６号公報
【考案の開示】
【考案が解決しようとする課題】
【０００６】
しかしながら、ケン付釣針では、胴部に斜め方向にかんな等で切込みを入れることでケンを形成しているから、ケン部分で釣針の強度が落ちて、釣針が折れてしまうことがある。
このため、ケン付き釣針では、通常の釣針よりも太めの線材を用いる必要があるが、線材を太くした結果、針先の貫通力が弱くなる。
【０００７】
本考案の目的は、ハリスのズレをより低減でき、また、エサのズレや外れを防止することのできる釣針を提供することである。
【課題を解決するための手段】
【０００８】
上記課題を解決するために、本考案の請求項１に記載の釣針は、
基端にチモトの形成された胴部を有する釣針であって、
胴部には、腹側にチモトから軸方向に平行に延びる第１溝と、背側にチモトから軸方向に延びる第２溝を凹設したものである。
【０００９】
また、本考案の請求項２に記載のハリス付釣針は、
請求項１に記載の釣針の前記第１溝に道糸側となるハリスの本線を沿わせて、胴部にハリスを巻回することにより、第２溝に巻回されたハリスが弾性により一部侵入するようにしたものである。
【００１０】
本考案の請求項３に記載の釣針は、
第２溝に、先端がチモト方向に突出するエサ止めを装着したものである。
【００１１】
本考案の請求項４に記載の釣針は、
前記エサ止めの先端は、胴部の基端でチモトから離れる方向に屈曲している。
【００１２】
本考案の請求項５に記載の釣針は、
前記エサ止めを、線状の部材から形成したものである。
【００１３】
本考案の請求項６に記載のハリス付釣針は、
請求項３乃至請求項５の何れかに記載の釣針の前記第２溝にエサ止めを装着した状態で、前記第１溝に道糸側となるハリスの本線を沿わせて、エサ止めの上から胴部にハリスを巻回してなるものである。
【考案の効果】
【００１４】
本考案の請求項１に記載の釣針によれば、胴部のチモト側の背側と腹側に第１溝及び第２溝を凹設している。
ハリスは、釣針の胴部に道糸側となる本線を第１溝に沿わせた状態で巻回する。本線は第１溝に嵌まっているからハリスを括り付けた状態で、本線が釣針に対してズレることを防止できる。また、胴部に括り付けられたハリスは、ハリスの弾性により、一部が第２溝に侵入し、ハリスが釣針からズレることを防止できる。
すなわち、第１溝と第２溝の両方で、ハリスが釣針からより確実にズレることを防止できる。
【００１５】
また、本考案の請求項２に記載のハリス付釣針によれば、釣針には、胴部のチモト側の背側と腹側に第１溝及び第２溝を凹設しており、ハリスは、釣針の胴部に道糸側となる本線を第１溝に沿わせた状態で巻回している。本線は第１溝に嵌まっているからハリスを括り付けた状態で、本線が釣針に対してズレることを防止できる。また、胴部に括り付けられたハリスは、ハリスの弾性により、一部が第２溝に侵入し、ハリスが釣針からズレることを防止できる。
すなわち、第１溝と第２溝の両方で、ハリスが釣針からより確実にズレることを防止できる。
【００１６】
本考案の請求項３に記載の釣針によれば、第２溝にチモト側から突出するエサ止めを取り付けている。エサを針先からチモトまで通したときに、エサがエサ止めを越えることで、エサがチモト側に突出したエサ止めに刺さるから、ズレたり外れたりすることを効果的に防止できる。
エサ止めを別途取付可能としたことにより、釣針の胴部に直接ケンを形成することによる強度の低下はなく、また、強度低下を抑えるために線材が太くなって針先の貫通力が低下することもない。
【００１７】
加えて、本考案の請求項４に記載の釣針によれば、エサ止めをチモト側で屈曲させることで、胴部に対してエサ止めの先端に角度をもたせることができるから、エサのズレや外れをより効果的に防止することができる。
【００１８】
本考案の請求項５に記載の釣針によれば、エサ止めは、線状の部材から構成することができる。線状の部材として、例えば、プラスチック、ナイロン、ポリエチレン、フッ素系樹脂等を例示できる。また、金属等のワイヤーから構成することもできる。
【００１９】
本考案の請求項６に記載のハリス付釣針によれば、釣針には、胴部のチモト側の背側と腹側に第１溝及び第２溝を凹設しており、第２溝にチモト側から突出するエサ止めを取り付けて、ハリスは、釣針の胴部に道糸側となる本線を第１溝に沿わせた状態でエサ止めの上から巻回している。本線は第１溝に嵌まっているからハリスを括り付けた状態で、本線が釣針に対してズレることを防止できる。また、ハリスにより位置決めされたエサ止めは、エサを針先からチモトまで通したときに、エサがエサ止めを越えることで、エサがチモト側に突出したエサ止めの先端に刺さるから、ズレたり外れたりすることを効果的に防止できる。
エサ止めを別途取付けたことにより、釣針の胴部に直接ケンを形成することによる強度の低下はなく、また、強度低下を抑えるために線材が太くなって針先の貫通力が低下することもない。
【図面の簡単な説明】
【００２０】
【図１】図１は、本考案を適用した釣針を針先側から見た斜視図である。
【図２】図２は、本考案を適用した釣針を胴部背側から見た斜視図である。
【図３】図３は、本考案を適用した釣針の胴部を拡大した正面図である。
【図４】図４は、本考案を適用した釣針の胴部を拡大した背面図である。
【図５】図５は、本考案を適用した釣針の胴部を拡大した側面図である。
【図６】図６は、図５に示すＡ−Ａ線に沿って切断した一実施例の釣針のＡ−Ａ断面図である。
【図７】図７は、図５に示すＡ−Ａ線に沿って切断した一実施例の釣針のＡ−Ａ断面図である。
【図８】図８は、ハリスを巻回して括りつけた釣針の側面図である。
【図９】図９は、図８に示すＡ−Ａ線に沿って切断した釣針のＡ−Ａ断面図である。
【図１０】図１０は、エサ止めを釣針に取り付け方法を示す斜視図である。
【図１１】図１１は、エサ止めを取り付けた釣針の背面図である。
【図１２】図１２は、エサ止めを取り付けてハリスを巻回した釣針の側面図である。
【図１３】図１３は、図１２に示すＡ−Ａ線に沿って切断した釣針の断面図である。
【図１４】図１４は、エサ止めを越えるようにエサを取り付けた釣針の側面図である。
【考案を実施するための最良の形態】
【００２１】
本考案の釣針(１)及びハリス付釣針(10)について図面に沿って説明する。
【００２２】
図１及び図２は、本考案の釣針(１)の斜視図である。釣針(１)は、鋼やステンレス鋼等からなる線材を切断し、成形した後、焼入れや焼戻し等の熱処理を施し、研磨、メッキ等を行なうことにより作製される。
釣針(１)は、基端にチモト(11)が形成された胴部(20)を前方側に湾曲させ、先端に針先(13)を形成して構成される。針先(13)には、必要に応じてカエシ(15)を形成することができる。
【００２３】
ハリス(40)(図８参照)が巻回される胴部(20)は、横断面を略円形に形成したり、幅方向に広い楕円形状とすることができる。
胴部(20)には、図１乃至図７等に示すように、胴部(20)の腹側(21)と背側(23)に夫々第１溝(22)と第２溝(24)が軸方向に凹設される。第１溝(22)及び第２溝(24)は、チモト(11)と共に成形してもよいし、別途プレス等により形成してもよい。
【００２４】
第１溝(22)及び第２溝(24)は、横断面形状が円弧状となるように形成することが好適であり、Ｖ字状等にすることもできる。
より具体的には、胴部(20)の腹側(21)に形成される第１溝(22)は、道糸に繋がるハリス(40)の本線(42)側の周面の一部が嵌まる幅と深さを有するように形成する。
また、胴部(20)の背側(23)に形成される第２溝(24)は、巻回したハリス(40)の周面の一部が侵入することができる程度の幅と深さに形成することができ、後述するエサ止め(30)を嵌めることのできる程度の幅と深さを有するように形成することがより望ましい。
【００２５】
第１溝(22)及び第２溝(24)は、胴部(20)のハリス(40)が巻回される部分に形成する。第１溝(22)及び第２溝(24)は、チモト(11)から胴部(20)の約１／３〜１／５の長さまで胴部(20)の軸芯と略平行となるように、夫々胴部(20)の腹側(21)と背側(23)に形成することができるが、第１溝(22)及び第２溝(24)は、チモト(11)と胴部(20)との境目近傍を始点として形成してもよい。
【００２６】
胴部(20)の基端側のチモト(11)は、釣針(１)にハリス(40)を括り付けたときに、胴部(20)に巻回したハリス(40)が外れないように、胴部(20)よりも幅広に形成され、胴部(20)の軸芯から背側(23)方向に離れる方向に屈曲して形成される。なお、チモト(11)の形状は図示のものに限定されるものではない。
【実施例１】
【００２７】
図８に、釣針(１)にハリス(40)を装着させたハリス付釣針(10)の実施例を示す。ハリス(40)は、道糸に繋がるハリス(40)の本線(42)が、胴部(20)の腹側(21)に形成された第１溝(22)に嵌まり、上方に延出した状態で、ハリス(40)を胴部(20)の上から複数回巻き付けることで、釣針(１)に括り付けられる。
【００２８】
図９は、ハリス(40)を巻回して括りつけた釣針(１)の胴部(20)の横断面を示している。釣針(１)に巻回したハリス(40)は、第１溝(22)に本線(42)が嵌まり、その上から巻回されたハリス(40)によって、本線(42)が第１溝(22)に押し付けられることで、本線(42)が釣針(１)に対してズレることを防止できる。
さらに、胴部(20)に巻回されたハリス(40)は、ハリス(40)の弾性により、図９に示すように一部が第２溝(24)に侵入するから、釣針(１)に対してズレることを防止できる。
すなわち、第１溝(22)と第２溝(24)にハリス(40)が侵入することで、ハリス(40)が釣針(１)からズレてしまうことを確実に防止できる。
【実施例２】
【００２９】
図１０乃至図１４は、上記釣針(１)の第２溝(24)にエサ(50)の脱落を防止するエサ止め(30)を装着した実施例である。
エサ止め(30)は、先端(32)がチモト(11)側に突出し、ミミズやゴカイ、海老などの生き餌、ワームなどの疑似餌等のエサ(50)を釣針(１)に通したときに、エサ(50)が脱落することを防止する(図１４参照)。
【００３０】
エサ止め(30)は、図１０に示すように、線状の部材から構成することができ、例えば、プラスチック、ナイロン、ポリエチレン、フッ素系樹脂などの樹脂や、金属等のワイヤーから構成することができる。
【００３１】
エサ止め(30)は、図１０及び図１１に示すように、前述した第２溝(24)に沿い、先端(32)がチモト(11)側から突出するよう配備される。
【００３２】
例えば、エサ止め(30)は、ハリス(40)を巻回する際に、第２溝(24)に装着し、ハリス(40)を上から巻き付けることで釣針(１)に固定することができる。
また、エサ止め(30)は、予め第２溝(24)に接着や溶着等により固定することもできる。
さらに、エサ止め(30)は、第２溝(24)に押し込むことで固定することもできる。
【００３３】
何れの場合も、図１２及び図１３に示すように、エサ止め(30)を取り付けた釣針(１)の胴部(20)に、ハリス(40)を実施例１と同様の要領で巻回ればよい。
【００３４】
エサ止め(30)の上からハリス(40)を巻回することで、図１３に示すように、エサ止め(30)が第２溝(24)に固定されると共に、第２溝(24)から出っ張っているエサ止め(30)に沿ってハリス(40)が撓んで巻回されることにより、ハリス(40)が胴部(20)に対してズレたり緩んだりすることを防止できる。
【００３５】
加えて、巻回されるハリス(40)は、道糸側となる本線(42)が第１溝(22)に嵌まっているから、胴部(20)に対してズレたり緩んだりすることを防止できる。
【００３６】
エサ止め(30)の先端(32)は、図１２に示すように、胴部(20)から離れる方向に屈曲していることが望ましい。なお、後述するとおり、エサ(50)を釣針(１)に通すことで、エサ止め(30)の先端(32)が自然に屈曲する場合には、予めエサ止め(30)の先端(32)を屈曲させておく必要はない。
【００３７】
上記したとおり、釣針(１)にエサ止め(30)を取り付け、ハリス(40)を括り付けたハリス付釣針(10)について、図１４に示すように、エサ(50)を針先(13)から通し、エサ(50)を針先(13)からチモト(11)まで通したときに、エサ(50)がエサ止め(30)を越える。これにより、釣針(１)から外れる方向にエサ(50)が力を受けた場合でも、エサ(50)がエサ止め(30)に刺さっているから、エサ(50)がズレたり外れたりすることを効果的に防止できる。
【００３８】
特に、エサ止め(30)を図１４に示すように胴部(20)から離れる方向に屈曲させる構成又はエサ(50)を釣針(１)に通すことでエサ止め(30)の先端(32)が自然に屈曲する構成とすることで、エサ(50)のズレや外れをより効果的に防止できる。
【００３９】
本実施例では、エサ止め(30)を別個に釣針(１)に取り付けているから、釣針(１)の胴部(20)に直接ケンを形成することによる強度の低下はなく、また、ケンを直接設けることによる強度低下を抑えるため、線材が太くなって針先(13)の貫通力が低下してしまうこともない。
【産業上の利用可能性】
【００４０】
本発明は、ハリスのズレをより低減でき、またエサのズレや外れを防止することのできる釣針として有用である。
【符号の説明】
【００４１】
(１)釣針
(10)ハリス付釣針
(11)チモト
(13)針先
(15)カエシ
(20)胴部
(21)腹側
(22)第１溝
(23)背側
(24)第２溝
(30)エサ止め
(32)エサ止め先端
(40)ハリス
(42)本線
(50)エサ
【図１】
0003172257.tif 000003
【図２】
0003172257.tif 000004
【図３】
0003172257.tif 000005
【図４】
0003172257.tif 000006
【図５】
0003172257.tif 000007
【図６】
0003172257.tif 000008
【図７】
0003172257.tif 000009
【図８】
0003172257.tif 000010
【図９】
0003172257.tif 000011
【図１０】
0003172257.tif 000012
【図１１】
0003172257.tif 000013
【図１２】
0003172257.tif 000014
【図１３】
0003172257.tif 000015
【図１４】
0003172257.tif 000016